(57)【特許請求の範囲】
【請求項１】
下記の成分（ａ）〜（ｇ）から成ることを特徴とする水洗トイレ用液体芳香洗浄剤組成物：
（ａ）森林の香り、柑橘の香り、又はブーケの香りを有する芳香剤１〜１５重量％；
（ｂ）起泡に寄与するＣ１４−１６α−オレフィンスルホン酸ナトリウムより成る洗浄剤８〜２５重量％；
（ｃ）Ｃ１２−１４エーテル硫酸トリイソプロパノールアミン及び１，２−プロパンジオール、又はラウレス硫酸ナトリウムより成り、芳香剤の溶解及び起泡に寄与する洗浄剤１０〜４０重量％；
（ｄ）１−ヒドロキシエチリデン−１，１−ジホスホン酸の水溶液（６０％）、又はクエン酸の水溶液（０．３％）より成る中和剤０．５〜２重量％；
（ｅ）ヒドロキシプロピル・セルロース、又はヒドロキシエチル・セルロースより成る増粘剤０．２％〜１５重量％；
（ｆ）組成物の生成における増粘プロセスを触媒するのに必要なＮ（ＣＨ２ＣＨ２ＯＨ）３から成る触媒０．５〜２重量％；及び
（ｇ）０又は３０〜７５重量%の水及び５〜２５重量%〈水を含まない場合には８０重量％〉の１，２−プロパンジオールより成る溶剤残部。
【請求項２】
さらに、最適含量で、０．２０重量％の防腐剤、０．０００１〜０．０２５重量%の着色剤、及び／又は０．００８重量％の幼児飲用防止剤を含むことを特徴とする請求項１記載の芳香洗浄剤組成物。
【請求項３】
前記幼児飲用防止剤は、エチレングリコール中の安息香酸デナトリウムより成ることを特徴とする請求項２記載の液体芳香洗浄剤組成物。
【請求項４】
前記着色剤は、Ｃ．Ｉ．６１５８５（青色）、Ｃ．Ｉ．４７００５、又はＣ．Ｉ．４５１００（赤色）であることを特徴とする請求項２記載の芳香洗浄剤組成物。
【請求項５】
前記芳香剤（ａ）が、森林の香りの５．２重量％、柑橘類の香りの芳香剤３．７重量％、又はブーケの香りの芳香剤３．８重量％から成り；前記洗浄剤〈ｂ〉が、１３重量％のＣ１４−１６α−オレフィンスルホン酸ナトリウム（３０％水溶液）から成り；前記洗浄剤〈ｃ〉が、２０重量％のＣ１２−１４エーテル硫酸トリイソプロパノールアミン及び１，２−プロパンジオール、又はラルレス硫酸ナトリウムから成り；前記中和剤（ｄ）が、０．５００重量％の１−ヒドロキシエチリデン−１，１−ジスルホン酸の水溶液（６０％）、又はクエン酸の水溶液（０．３％）から成り；前記増粘剤（ｅ）が、０．４３０重量％のヒドロキシプロピル・セルロースから成り；前記触媒〈ｆ〉が、０．５重量％のＮ（ＣＨ２ＣＨ２ＯＨ）３から成り；前記溶媒（ｇ）が、５０．１２重量％、５１．６重量％又は５１．５６重量％の水、及び１０重量％の１，２−プロパンジオールから成ることを特徴とする請求項１記載の芳香洗浄組成物。」
【発明の詳細な説明】
【０００１】
【発明の属する技術分野】
本発明は、液体の芳香洗浄剤組成物、特に貯水タンク式水洗トイレの貯水タンク上蓋上に配置可能な水洗トイレ用薬剤供給具を介して供給される液体芳香洗浄剤組成物に関する。
【０００２】
【従来の技術】
上記の水洗トイレ用薬剤供給具は、日本で多く使用されている日本式の水洗トイレ（オン−タンク・フラッシュ（ｏｎ−ｔａｎｋ  ｆｌｕｓｈ））に適するものである。この日本式の水洗トイレに対して、ヨ−ロッパ式のトイレ（イン−ボウル・フラッシュ（ｉｎ−ｂｏｗｌ／ｆｌｕｓｈ）式のトイレがある。このヨ−ロッパ式トイレに使用される水洗トイレ用薬剤供給具の構成及び作用効果は、当然のことながら、日本式の水洗トイレ用薬剤供給具とは異なる。
【０００３】
日本式の水洗トイレ用薬剤供給具は、種々のものが使用されているが、比較的優れた機能及び作用効果を有するものとして、例えば、特願２０００−１６３５９５号に開示されている水洗トイレ用薬剤供給具がある。この水洗トイレ用薬剤供給具を使用すれば、本発明による液体芳香洗浄剤組成物はその作用効果を十分に発揮することができたものと思量される。
【０００４】
従来のこの種の液体芳香洗浄剤組成物としては、例えば、１９９５年１１月２２日付けヨ−ロッパ特許出願第９５２０３２０７．６号に開示されているものがある。この特許に開示されているトイレ用芳香洗浄剤組成物は、（ａ）１〜２５重量％の芳香剤、（ｂ）１０〜５０重量％のアニオン又はノニオン界面活性剤、（ｃ）１〜２０重量％の非蒸発生、水溶性蒸発調節剤、及び（ｄ）残部溶媒から成ることを特徴とするものである。
【０００５】
上記日本式水洗トイレ用薬剤供給具においては、水はボトル内の空気室に直接流入するので、ヨ−ロッパ式水洗トイレに比較して水の取込みが著しく多い。この水の希釈に起因する芳香剤の香りの強さの低下を回避するために、日本式水洗トイレ用芳香洗浄剤組成物は、芳香剤の濃度を高める必要がある。さらに、従来の芳香洗浄剤組成物の芳香は、満足なものではなく、したがって、さわやかな自然の香りをトイレ空間に贅沢にかつ長期に渡って提供できる水洗トイレ用芳香洗浄剤組成物が要求される。
【０００６】
第２の課題は、米国におけると同様に日本式水洗トイレ・フラッシュ（放水）に起因するものであって、ボ−ル内における水の旋回（渦巻き）が極めて少なく、したがって、フラッシュによる起泡が少ないことである。適当な起泡剤を芳香洗浄剤組成物に添加する必要がある。
【０００７】
増粘剤として使用されているセルロ−スを含有する従来の芳香洗浄剤組成物の寿命及び安定性は十分なものでないので、適切な増粘剤を使用してその寿命及び安定性を改善する必要がある。
【０００８】
【発明が解決しようとする課題】
本発明は、上記の従来の芳香洗浄剤組成物の欠点を解消すべくなされたものであって、森林の香り、柑橘類の香り及びブ−ケの香りという自然のさわやかな香りをトイレ空間に豊富に長期にかつ安定的に発散し、かつ優れた洗浄能力を長期に渡り安定的に維持できる水洗トイレ用の液体芳香洗浄剤組成物を提供することを目的とするものである。
【０００９】
【課題を解決するための手段】
本発明により、下記の成分から成ることを特徴とする水洗トイレ用の液体芳香洗浄剤組成物が提供される：
（ａ）  芳香剤１〜１５重量％；
（ｂ）  起泡に寄与する洗浄剤８〜２５重量％；
（ｃ）  芳香剤の溶解及び起泡に寄与する洗浄剤１０〜４０重量％；
（ｄ）  中和剤０．５〜２重量％；
（ｅ）  増粘剤０．２〜１５重量％；
（ｆ）  組成物の生成における増粘プロセスを触媒する触媒０．５〜２重量％；及び
（ｇ）  溶媒残部。
【００１０】
本発明により、更に具体的かつ最適な組成として、下記の成分から成る水洗トイレ用の液体芳香洗浄剤組成物が提供される：
【００１１】
前記芳香剤（ａ）が、森林の香りの５．２重量％、柑橘類の香りの芳香剤３．７重量％、又はブーケの香りの芳香剤３．８重量％から成り；前記洗浄剤〈ｂ〉が、１３重量％のＣ１４−１６α−オレフィンスルホン酸ナトリウム（３０％水溶液）から成り；前記洗浄剤〈ｃ〉が、２０重量％のＣ１２−１４エーテル硫酸トリイソプロパノールアミン及び１，２−プロパンジオール、又はラウレス硫酸ナトリウムから成り；前記中和剤（ｄ）が、０．５００重量％の１−ヒドロキシエチリデン−１，１−ジホスホン酸の水溶液（６０％）、又はクエン酸の水溶液（０．３％）から成り；前記増粘剤（ｅ）が、０．４３０重量％のヒドロキシプロピル・セルロースから成り；前記触媒（ｆ）が、０．５重量％のＮ（ＣＨ２ＣＨ２ＯＨ）３から成り；前記溶媒（ｇ）が、５０．１２重量％、５１．６重量％又は５１．５６重量％の水、及び１０重量％の１，２−プロパンジオールから成る。
【００１２】
【発明の実施の形態】
本発明の好適な実施態様により、次の香りの異なる３種類の水洗トイレ用の液体芳香洗浄剤が提供される。
【００１３】
（１）森林の香りの芳香剤（ａ）５．２重量％；Ｃ１４−１６α−オレフィンスルホン酸ナトリウム（３０％水溶液）洗浄剤（ｂ）１３重量％：Ｃ１２−１４エーテル硫酸トリイソプロパノールアミン及び１，２−プロパンジオール、又はラウレス硫酸ナトリウム洗浄剤（ｃ）２０重量％；１−ヒドロキシエチリデン−１，１−ジホスホン酸の水溶液（６０％）、又はクエン酸の水溶液（０．３％）中和剤（ｄ）０．５００重量％；ヒドロキシプロピル・セルロース、又はヒドロキシエチル・セルロース増粘剤（ｅ）０．４３０重量％；Ｎ（ＣＨ２ＣＨ２ＯＨ）３触媒（ｆ）０．５００重量％；溶媒（ｇ）の５０．１４９重量％及び、１，２−プロパンジオール１０重量％；防腐剤０．２００重量％；乳児飲用防止剤のエチレングリコール中の安息香酸デナトリウム０．００８重量％；及び着色剤C.．I.．６１５８５（青）０．００２５重量％及びC.．I.．４７００５（−）０．０１重量％から成る森林の香りを有する芳香洗浄剤組成物。
【００１４】
（２）柑橘の香りの芳香剤（ａ）３．７重量％；Ｃ１４−１６α−オレフィンスルホン酸ナトリウム（３０％水溶液）洗浄剤（ｂ）１３重量％：Ｃ１２−１４エーテル硫酸トリイソプロパノールアミン及び１，２−プロパンジオール、又はラウレス硫酸ナトリウム洗浄剤（ｃ）２０重量％；１−ヒドロキシエチリデン−１，１−ジホスホン酸の水溶液（６０％）、又はクエン酸の水溶液（０．３％）中和剤（ｄ）０．５００重量％；ヒドロキシプロピル・セルロース、又はヒドロキシエチル・セルロース増粘剤（ｅ）０．４３０重量％；Ｎ（ＣＨ２ＣＨ２ＯＨ）３触媒（ｆ）０．５００重量％；溶媒（ｇ）の５０．１４９重量％及び、１，２−プロパンジオール１０重量％；防腐剤０．２００重量％；乳児飲用防止剤のエチレングリコール中の安息香酸デナトリウム０．００８重量％；及び着色剤C.．I.．６１５８５（青）０．００１重量％及びC.．I.．４７００５（−）０．０２５重量％から成る柑橘類の香りを有する芳香洗浄剤組成物。
【００１５】
（３）ブーケの香りの芳香剤（ａ）３．８重量％；Ｃ１４−１６α−オレフィンスルホン酸ナトリウム（３０％水溶液）洗浄剤（ｂ）１３重量％：Ｃ１２−１４エーテル硫酸トリイソプロパノールアミン及び１，２−プロパンジオール、又はラウレス硫酸ナトリウム洗浄剤（ｃ）２０重量％；１−ヒドロキシエチリデン−１，１−ジホスホン酸の水溶液（６０％）、又はクエン酸の水溶液（０．３％）中和剤（ｄ）０．５００重量％；ヒドロキシプロピル・セルロース、又はヒドロキシエチル・セルロース増粘剤（ｅ）０．４３０重量％；Ｎ（ＣＨ２ＣＨ２ＯＨ）３触媒（ｆ）０．５００重量％；溶媒（ｇ）の５０．１４９重量％及び、１，２−プロパンジオール１０重量％；防腐剤０．２００重量％；乳児飲用防止剤のエチレングリコール中の安息香酸デナトリウム０．００８重量％；及び着色剤C.．I.．６１５８５（青）０．００２重量％及びC.．I.．４７００５（−）０．０１３重量％から成る森林の香りを有する芳香洗浄剤組成物。
【００１６】
前記芳香剤（ａ）の含量が高くなると、芳香洗浄剤組成物の透明溶液を得ることが困難になると共に、許容粘度を保つことが困難になる。このために、アニオン界面活性剤である洗浄剤（ｃ）を該組成物に添加して該組成物の透明性を図る。洗浄剤（ｂ）は、アニオン界面活性剤であって、最適量の１３重量％のＣ１４−１６α−オレフィンスルホン酸ナトリウム（３０％水溶液）が使用される。この洗浄剤（ｂ）は泡の形成（起泡）に重要な役割を果たし、従来の洗浄剤に比較して多量の泡を提供する作用をする。洗浄剤（ｃ）は、芳香剤の溶解に寄与して透明溶液を生成すると共に起泡に寄与する。中和剤（ｄ）は、組成物が増粘したときにｐＨの中和に必要であり、かつ金属イオン封鎖剤の作用も有して、炭酸カルシウム塩類のような析出カルシウム塩類の除去（石灰のスケ−ル形成を防止）をする。
【００１７】
以上記載した本発明の３種類の液体芳香洗浄剤組成物は、それぞれ森林の香り、柑橘類の香り及びブ−ケの香りという自然のさわやかな香りをトイレ空間に長期に渡って安定的に提出すると共に、優れた洗浄能力を長期間維持することができる。
【００１８】
【発明の効果】
本発明の効果を列挙すれば、下記の通りである。
芳香剤の濃度を高め、洗浄剤の含量の調節によって、日本式水洗トイレの構造に起因する水の希釈による芳香剤の香りの強さの低下を回避することができ、さわやかな自然の香りをトイレ空間に贅沢にかつ長期に渡って提供できる。
【００１９】
適切な洗浄剤（起泡剤）の芳香洗浄剤組成物への添加よって、日本式水洗トイレ・フラッシュ（放水）によるボ−ル内における水の旋回（渦巻き）を顕著にすることによって、トイレの洗浄が効果的にできる。
【００２０】
ヒドロキシプロピル・セルロ−ス又はヒドロキシエチル・セルロ−スのような適切な増粘剤の使用によって、液体芳香洗浄剤組成物の寿命及び安定性を改善することができる。
【００２１】
次に本発明をさらに詳細に説明する。
【実施例】
実施例１
本発明は、貯水タンク式水洗トイレの上蓋上に載置して使用される水洗トイレ用薬剤供給具を介して使用されるオン−タンク・フラッシュ型の液体芳香洗浄剤組成物に関するものである。
【００２２】
この液体芳香洗浄剤組成物に含まれる各成分の最適含量を次の表１に示す。
【００２３】
【表１】
本発明の液体芳香洗浄剤組成物の配合成分の最適含量
0004242093.tif 000002
【００２４】
上記表１に示した芳香剤（ａ）の含量は、高くなると芳香洗浄剤組成物の透明溶液を得ることが困難になると共に、許容粘度を保つことが困難になる。洗浄剤（ｂ）は、泡の形成（起泡）に重要な役割を果たす。洗浄剤（ｃ）は、芳香剤の溶解に寄与して透明溶液を生成すると共に起泡に寄与する。中和剤（ｄ）は、組成物が増粘したときにｐＨの中和に必要であり、かつ石灰のスケ−ル形成を防止する作用をする。
【００２５】
実施例２
我々の標準キャビンを使用して、芳香洗浄剤組成物に置ける芳香剤の濃度を嗅覚の飽和状態で測定した。それらの結果を表２に示す。試験した芳香剤は、いずれも著しい相違は測定できなかった。しかしながら、日本における試験は、現在使用されている芳香剤の濃度が低く過ぎること示した。したがって、日本用の芳香剤の濃度は、標準偏差に無関係に最高点より０．５％高い値が選択された。日本の消費者の試験は、この濃度が満足なものであることを確認した。表２は、芳香剤の種々の濃度に対して測定された芳香剤のか香りの強さを示す。
【００２６】
【表２】
芳香剤の種々の濃度に対して測定された強さ
0004242093.tif 000003
【００２７】
実施例３
本発明の液体芳香洗浄剤組成物の寿命を試験した。オン−タンクの構成で一度に１つの試料を試験した。本発明の液体芳香洗浄剤組成物の寿命の試験結果を図１及び図２に示す。図１のオン−タンク試料の累積損失重量のグラフから、本発明の芳香洗浄剤組成物の試料（商品名Ｋｌｕｃｅｌ及びＫｌｕｃｅｌ−ＩＩ）は、現在品の試料（ＳＴＤ森林の香り２５２９及びＳＴＤ森林の香り３４８４）より累積損失重量が少ないことがわかる（毎日１２フラッシュ（放水）の場合）。第１の試料は４９日続けた、それは４２０フラッシュ（放水）に相当する。この第１の試料の結果は、第２の試料によって確認されている。図２の毎日の重量損失を示すグラフから、この係数は一定でないことがわかる。１５〜２０日後、毎日の重量損失が増加し始めるが、これは、水の摂取による試料の希釈に起因するものである。
【００２８】
実施例４
本発明の試料の安定性試験を室温、５℃、４５℃及び日光下で３ケ月間行なった。２週間毎に外観、色、臭気、ｐＨ、粘度及びボトルの状態を検査した。この方法は、標準の環境下での製品の貯蔵寿命を予測する、特に４５℃が粘度の安定性の予測に有用であり、日光は色の安定性を予測するのに有用である。粘度（製品の寿命に重要）及び色（製品の消費者の知覚に重要）の結果を表３に示す。表中のフォリストＭＡＸは、本発明の森林の香りを有する芳香洗浄剤組成物の商品名であり、シトラスＭＡＸは、本発明の柑橘類の香りを有する芳香洗浄剤組成物の商品名であり、ブ−ケＭＡＸは、本発明のブ−ケの香りを有する芳香洗浄剤組成物の商品名である。これらの結果に基づいて、本発明の液体芳香洗浄剤組成物はサラリ−社の品質指針に合致し発売に適すると結論された。
【００２９】
【表３】
安定性試験の３ケ月の結果
0004242093.tif 000004
【００３０】
実施例５
本発明の液体芳香洗浄剤組成物の起泡を予測するために、ロス・マイルズ（Ｒｏｓｓ  Ｍｉｌｅｓ）法を使用する。泡柱の高さをＴ＝０分及び１５分後に測定する。本発明の液体芳香洗浄剤組成物（商品名Ｍａｘ配合物、森林の香り）の結果を標準フラッシュ（従来の洗浄剤組成物の商品名、森林の香り）と比較し、その結果を表４に示す。
【００３１】
【表４】
ロス・マイルズ法による起泡の測定結果
0004242093.tif 000005
【００３２】
表４に示すように、本発明の芳香洗浄剤組成物の起泡の高さは、Ｔ＝０で脱イオン水及び硬水共に従来の組成物より高いことがわかる。
【図面の簡単な説明】
【図１】  試料における各組成物の経過日数と累積損失量を示す。
【図２】  毎日の各組成物の損失量を示す。
【図１】
0004242093.tif 000006
【図２】
0004242093.tif 000007